(57)【要約】      （修正有）【課題】食塩などの粉末を、簡単に、少量ずつ正確に計量して取り出すことができる計量容器および計量器具を提供すること。【解決手段】計量容器は、一端に取出口１１３が形成された円筒状の容器本体１１０と、第１計量部１２４、第２計量部１２５、第３計量部１２６を備える計量棒１２０を有する。計量棒１２０は、容器本体１１０内の粉末収容空間１１４に配置され、取出口１１３を塞ぐ閉位置、第１計量部１２４が外部に露出する第１計量位置、第１計量部１２４と第２計量部１２５が外部に露出する第２計量位置、第１計量部１２４、第２計量部１２５、第３計量部１２６の全てが外部に露出する第３計量位置に移動可能である。計量棒１２０は、容器本体１１０の他端に取り付けられた操作機構の操作に基づき、閉位置および３つの計量位置に移動する。【選択図】図３
2016074436.tif 000002
【特許請求の範囲】
【請求項１】
粉末を収容する複数の計量部を備える計量部材と、
前記粉末を取り出すための取出口が形成された容器本体とを有し、
前記計量部材は、
前記取出口を塞いでおり前記複数の計量部が外部に露出しない閉位置と、前記複数の計量部の１つが前記取出口から外部に露出する第１の計量位置と、前記複数の計量部のうち少なくとも他の１つが前記取出口から外部に露出する第２の計量位置とに移動可能であり、
前記複数の計量部のそれぞれは、
前記閉位置では前記容器本体内の粉末収容空間と連通し、
前記取出口から外部に露出する位置では、前記粉末収容空間と連通しないことを特徴とする計量容器。
【請求項２】
前記複数の計量部は、第１の計量部と、第２の計量部と、第３の計量部を含み、
前記計量部材は、
前記閉位置と、前記第１の計量部が前記取出口から外部に露出する前記第１の計量位置と、前記第１の計量部および前記第２の計量部が前記取出口から外部に露出する前記第２の計量位置と、前記第１の計量部、前記第２の計量部、および前記第３の計量部が前記取出口から外部に露出する第３の計量位置とに移動可能であることを特徴とする請求項１に記載の計量容器。
【請求項３】
前記容器本体は、筒状部を備え、当該筒状部の軸線方向の一端に前記取出口が開口し、
前記計量部材は、前記筒状部の内部で前記軸線方向に延びる計量棒であり、
前記計量棒は、前記取出口に内接する大径部、および前記大径部から前記取出口と逆の側に延びる小径部を備え、
前記第１計量部、前記第２計量部、前記第３計量部は、前記大径部の外周面に形成された凹部であり、前記軸線方向の前記一端側から他端側に向けてこの順で並んでおり、
前記第１の計量位置は、前記計量棒における前記一端側の先端から前記第１計量部までの部分を前記取出口から外部に突出させた位置であり、
前記第２の計量位置は、前記計量棒における前記一端側の先端から前記第２計量部までの部分を前記取出口から外部に突出させた位置であり、
前記第３の計量位置は、前記計量棒における前記一端側の先端から前記第３計量部までの部分を前記取出口から外部に突出させた位置であることを特徴とする請求項２に記載の計量容器。
【請求項４】
前記計量部材を前記閉位置、前記第１の計量位置、前記第２の計量位置、前記第３の計量位置に移動させる操作機構を有し、
前記操作機構は、
前記筒状部における前記取出口と逆の側の端部に装着される支持部材と、
当該支持部材の第１スリットにスライド可能に係合される第１操作部材と、
前記支持部材の第２スリットにスライド可能に係合される第２操作部材と、
前記支持部材の第３スリットにスライド可能に係合される第３操作部材とを備え、
前記第１スリット、前記第２スリット、前記第３スリットは、前記筒状部の軸線方向に沿って平行に延びており、
前記第１操作部材は、前記第１スリットの一端から他端までスライドするとき、前記計量棒を前記閉位置から前記第１の計量位置に移動させ、
前記第２操作部材は、前記第２スリットの一端から他端までスライドするとき、前記計量棒を前記閉位置から前記第２の計量位置に移動させ、
前記第３操作部材は、前記第３スリットの一端から他端までスライドするとき、前記計
量棒を前記閉位置から前記第３の計量位置に移動させることを特徴とする請求項３に記載の計量容器。
【請求項５】
前記計量部材を前記閉位置、前記第１の計量位置、前記第２の計量位置、前記第３の計量位置に移動させる操作機構を有し、
前記操作機構は、
前記筒状部における前記取出口と逆の側の端部を塞ぐ支持部材と、
当該支持部材に対し、前記筒状部の軸線方向にスライド可能に係合される操作部材とを有し、
前記支持部材は、
前記軸線方向に沿って並ぶ基準位置、第１操作位置、第２操作位置、第３操作位置のそれぞれの位置に前記操作部材を位置決めする位置決め部を備え、
前記操作部材は、
前記基準位置の側から前記第１操作位置までスライドするとき、前記計量棒を前記第１の計量位置に移動させ、
前記基準位置の側から前記第２操作位置までスライドするとき、前記計量棒を前記第２の計量位置に移動させ、
前記基準位置の側から前記第３操作位置までスライドするとき、前記計量棒を前記第３の計量位置に移動させることを特徴とする請求項３に記載の計量容器。
【請求項６】
前記操作機構は、
前記計量棒を前記閉位置に戻る方向に付勢する付勢部材を備えることを特徴とする請求項４または５に記載の計量容器。
【請求項７】
前記容器本体は筒状部を備え、当該筒状部の軸線方向の一端に前記取出口が開口し、
前記計量部材は、前記筒状部の内部で前記軸線方向に延びる計量棒であり、
当該計量棒は、前記取出口に内接する大径部、および前記大径部から前記取出口と逆の側に延びる小径部を備え、
前記取出口は、
前記筒状部の前記軸線方向の一端においてその軸線回りの螺旋状をなすように３６０度以内の角度範囲で延在する螺旋状端面と、当該螺旋状端面の一端と他端を接続する直線状端面とを備える開口形状であり、
前記第１計量部、前記第２計量部、前記第３計量部は、前記大径部の外周面に螺旋状に並ぶ凹部であることを特徴とする請求項２に記載の計量容器。
【請求項８】
前記計量部材を前記閉位置、前記第１の計量位置、前記第２の計量位置、前記第３の計量位置に移動させる操作機構を有し、
前記操作機構は、
前記筒状部における前記取出口と逆の側の端部に装着される円筒状の支持部材と、
当該支持部材に外嵌される円筒状の操作部、および、前記支持部材の内部に延びている前記計量棒に対し、前記筒状部の軸線回りに相対回転不能に連結される連結部を備えるキャップ部材と、を有し、
前記支持部材の円筒状外周面には螺旋溝が形成され、
前記操作部の円筒状内周面には、前記螺旋溝に沿ってスライド可能な突起が形成されていることを特徴とする請求項７に記載の計量容器。
【請求項９】
前記支持部材は、前記螺旋溝内の基準位置、第１の位置、第２の位置、第３の位置のそれぞれの位置で前記突起を位置決めする位置決め部を備え、
前記基準位置は、前記閉位置に対応し、
前記第１の位置は、前記第１の計量位置に対応し、
前記第２の位置は、前記第２の計量位置に対応し、
前記第３の位置は、前記第３の計量位置に対応することを特徴とする請求項８に記載の計量容器。
【請求項１０】
粉末を収容する容器に着脱可能な計量器具であって、
前記容器の開口に着脱可能な接続口、および、前記接続口から供給される前記粉末を取り出すための取出口が形成された容器接続部材と、
前記粉末を収容する複数の計量部を備える計量部材と、を有し、
前記計量部材は、
前記取出口を塞いでおり前記複数の計量部が外部に露出しない閉位置と、前記複数の計量部の１つが前記取出口から外部に露出する第１の計量位置と、前記複数の計量部のうち少なくとも他の１つが前記取出口から外部に露出する第２の計量位置とに移動可能であり、
前記複数の計量部のそれぞれは、
前記閉位置では前記容器接続部材内の粉末収容空間と連通し、
前記取出口から外部に露出する位置では、前記粉末収容空間と連通しないことを特徴とする計量器具。
【請求項１１】
前記複数の計量部は、第１の計量部と、第２の計量部と、第３の計量部を含み、
前記計量部材は、
前記閉位置と、前記第１の計量部が前記取出口から外部に露出する前記第１の計量位置と、前記第１の計量部および前記第２の計量部が前記取出口から外部に露出する前記第２の計量位置と、前記第１の計量部、前記第２の計量部、および前記第３の計量部が前記取出口から外部に露出する第３の計量位置とに移動可能であることを特徴とする請求項１０に記載の計量器具。
【請求項１２】
前記容器接続部材は円筒状であり、その軸線方向の一端に前記接続口が開口し、他端の周方向の一部の範囲に前記取出口が開口し、
前記計量部材は、前記容器接続部材の前記軸線方向の他端に内接する円柱状の内接部と、当該内接部よりも大径の台座部を備え、
前記第１計量部、前記第２計量部、前記第３計量部は、前記内接部の外周面に周方向に並んで形成された第１凹部、第２凹部、第３凹部であることを特徴とする請求項１１に記載の計量器具。
【発明の詳細な説明】
【技術分野】
【０００１】
本発明は、食塩等の粉末を少量ずつ計量して取り出すことのできる計量容器および計量器具に関する。
【背景技術】
【０００２】
食塩などの粉末状の調味料や薬品等を入れる容器として、粉末を取り出すための取出口を備えたものがある。例えば、食卓に置いて使用する調味料の容器として、振り出し穴（取出口）が形成された内キャップと、内キャップを覆って振り出し穴を密閉する外キャップを備えたものがある。この種の容器では、外キャップを外すと、内キャップに形成された振り出し穴から少しずつ調味料を振り出すことができる。また、外キャップと内キャップの両方を外すと、容器に調味料を補充することができる。
【０００３】
ここで、内キャップの振り出し穴から調味料を振り出す構造では、決まった量を正確に振り出すことは難しい。従って、正確な量の粉末を得るためには、振り出した調味料を別の計量器具で計量しなければならない。また、振り出し穴が大きいと１回の動作で大量に振り出されてしまうおそれがある。このような不都合を解消するため、特許文献１のような容器が用いられている。特許文献１には、決まった量を計量して振り出すことのできる計量容器が開示されている。
【０００４】
特許文献１の計量容器は、容器内に配置された筒体の上端がキャップを貫通して容器外に突出している。筒体の下端には、容器の下部で開口する取入口が形成されている。この容器を上下逆の姿勢にする動作を行うと、取入口から筒体内に粉末が取り入れられて、取り入れられた分の粉末のみが振り出される。筒体内に取り入れられる粉末の量は、筒体の下端に取り付けられた閉塞チューブの位置によって調節可能である。従って、閉塞チューブの位置を調節することにより、１回の動作で振り出される粉末の量を調節することができる。
【先行技術文献】
【特許文献】
【０００５】
【特許文献１】特開２００２−２６４９７５号公報
【発明の概要】
【発明が解決しようとする課題】
【０００６】
特許文献１の計量容器では、筒体内に取り込まれる粉末の量が容器内の粉末の残量などによっても異なるため、振り出される粉末の量の誤差が大きい。食塩などの粉末は、使用量の適量が少量であるため、振り出される量の誤差が大きいと適量を取り出すことができない場合がある。また、食塩の計量容器では、使用量を正確に把握することや、使いすぎを防ぐことは健康維持の観点からも重要であり、その点からも、少量でも精度良く計量して取り出すことができる容器が望まれている。
【０００７】
また、特許文献１の計量容器は、１回の動作によって取り出される粉末の量を調節できるものの、取り出す粉末の量を変えるときには、その都度キャップを開けて筒体を取り出し、閉塞チューブの位置を調節しなければならない。従って、粉末の取り出し量を多段階に調節する際には手間がかかる。
【０００８】
本発明の課題は、このような点に鑑みて、食塩などの粉末を、簡単に、少量ずつ正確に計量して取り出すことができる計量容器を提案することにある。
【課題を解決するための手段】
【０００９】
上記の課題を解決するために、本発明の計量容器は、
粉末を収容する複数の計量部を備える計量部材と、
前記粉末を取り出すための取出口が形成された容器本体とを有し、
前記計量部材は、
前記取出口を塞いでおり前記複数の計量部が外部に露出しない閉位置と、前記複数の計量部の１つが前記取出口から外部に露出する第１の計量位置と、前記複数の計量部のうち少なくとも他の１つが前記取出口から外部に露出する第２の計量位置とに移動可能であり、
前記複数の計量部のそれぞれは、
前記閉位置では前記容器本体内の粉末収容空間と連通し、
前記取出口から外部に露出する位置では、前記粉末収容空間と連通しないことを特徴とする。
【００１０】
また、上記の課題を解決するために、本発明は、粉末を収容する容器に着脱可能な計量器具であって、
前記容器の開口に着脱可能な接続口、および、前記接続口から供給される前記粉末を取り出すための取出口が形成された容器接続部材と、
前記粉末を収容する複数の計量部を備える計量部材と、を有し、
前記計量部材は、
前記取出口を塞いでおり前記複数の計量部が外部に露出しない閉位置と、前記複数の計量部の１つが前記取出口から外部に露出する第１の計量位置と、前記複数の計量部のうち少なくとも他の１つが前記取出口から外部に露出する第２の計量位置とに移動可能であり、
前記複数の計量部のそれぞれは、
前記閉位置では前記容器接続部材内の粉末収容空間と連通し、
前記取出口から外部に露出する位置では、前記粉末収容空間と連通しないことを特徴とする。
【００１１】
本発明の計量容器および計量器具は、このように、粉末（例えば、食塩など）を取り出すための取出口が形成された容器本体あるいは容器接続部材と、複数の計量部を備える計量部材とを有しており、計量部材は、取出口を塞ぐ閉位置、第１の計量位置、第２の計量位置に移動可能である。閉位置では、複数の計量部のそれぞれに粉末が入り込み、計量部の容積に応じた量の粉末が計量される。また、第１の計量位置と第２の計量位置では、それぞれ、複数の計量部のうち、異なる計量部内に入っている粉末を外部に取り出すことができる。このように、計量部材に複数の計量部を設けたことで、簡単な操作によって、計量部の容積や数に応じた量の粉末を精度良く計量して取り出すことができる。また、計量部の容積を小さくすることで、少量の粉末でも精度良く取り出すことができる。更に、外部に露出させる計量部を選択して計量部材を動かすという簡単な操作で、粉末の量を多段階に調節して取り出すことが可能である。
【００１２】
また、本発明の計量器具は、粉末を入れる容器の開口に着脱可能であるため、既存の粉末容器（例えば、食卓塩の容器）のキャップを取り外してこの計量器具を取り付けることができる。このようにすると、既存の粉末容器から粉末を移し変えることなく、既存の粉末容器をそのまま利用して計量容器として用いることができる。従って、極めて便利である。
【００１３】
本発明の計量容器および計量器具において、前記複数の計量部は、第１の計量部と、第２の計量部と、第３の計量部を含み、前記計量部材は、前記閉位置と、前記第１の計量部
が前記取出口から外部に露出する前記第１の計量位置と、前記第１の計量部および前記第２の計量部が前記取出口から外部に露出する前記第２の計量位置と、前記第１の計量部、前記第２の計量部、および前記第３の計量部が前記取出口から外部に露出する第３の計量位置とに移動可能であることが望ましい。このようにすると、第１の計量部の容量、第１の計量部と第２の計量部の合計容量、第１の計量部と第２の計量部と第３の計量部の合計容量、の３段階で粉末を計量することができる。
【００１４】
ここで、本発明の計量容器として、前記容器本体は、筒状部を備え、当該筒状部の軸線方向の一端に前記取出口が開口し、前記計量部材は、前記筒状部の内部で前記軸線方向に延びる計量棒であり、前記計量棒は、前記取出口に内接する大径部、および前記大径部から前記取出口と逆の側に延びる小径部を備え、前記第１計量部、前記第２計量部、前記第３計量部は、前記大径部の外周面に形成された凹部であり、前記軸線方向の前記一端側から他端側に向けてこの順で並んでおり、前記第１の計量位置は、前記計量棒における前記一端側の先端から前記第１計量部までの部分を前記取出口から外部に突出させた位置であり、前記第２の計量位置は、前記計量棒における前記一端側の先端から前記第２計量部までの部分を前記取出口から外部に突出させた位置であり、前記第３の計量位置は、前記計量棒における前記一端側の先端から前記第３計量部までの部分を前記取出口から外部に突出させた位置であるものを用いることができる。
【００１５】
このような計量容器は、取出口から突出する計量棒の突出寸法を３段階に調節するという簡単な操作で、粉末の量を３段階に計量することができる。また、取出口を下側にして容器を持って計量棒を操作すればよく、容器全体を逆さまにするなどの大きな動作を行う必要がない。従って、簡単な動作で粉末を取り出すことができ、粉末が飛び散るおそれも少ない。
【００１６】
この構成において、前記計量部材を前記閉位置、前記第１の計量位置、前記第２の計量位置、前記第３の計量位置に移動させる操作機構を設ける場合には、例えば、前記操作機構は、前記筒状部における前記取出口と逆の側の端部に装着される支持部材と、当該支持部材の第１スリットにスライド可能に係合される第１操作部材と、前記支持部材の第２スリットにスライド可能に係合される第２操作部材と、前記支持部材の第３スリットにスライド可能に係合される第３操作部材とを備え、前記第１スリット、前記第２スリット、前記第３スリットは、前記筒状部の軸線方向に沿って平行に延びており、前記第１操作部材は、前記第１スリットの一端から他端までスライドするとき、前記計量棒を前記閉位置から前記第１の計量位置に移動させ、前記第２操作部材は、前記第２スリットの一端から他端までスライドするとき、前記計量棒を前記閉位置から前記第２の計量位置に移動させ、前記第３操作部材は、前記第３スリットの一端から他端までスライドするとき、前記計量棒を前記閉位置から前記第３の計量位置に移動させる構成にすることができる。このようにすると、計量すべき量に対応する操作部材を選択してスライドさせるだけでよく、操作が簡単である。
【００１７】
あるいは、前記計量部材を前記閉位置、前記第１の計量位置、前記第２の計量位置、前記第３の計量位置に移動させる他の操作機構を有する構成にすることもできる。例えば、前記操作機構は、前記筒状部における前記取出口と逆の側の端部を塞ぐ支持部材と、当該支持部材に対し、前記筒状部の軸線方向にスライド可能に係合される操作部材とを有し、前記支持部材は、前記軸線方向に沿って並ぶ基準位置、第１操作位置、第２操作位置、第３操作位置のそれぞれの位置に前記操作部材を位置決めする位置決め部を備え、前記操作部材は、前記基準位置の側から前記第１操作位置までスライドするとき、前記計量棒を前記第１の計量位置に移動させ、前記基準位置の側から前記第２操作位置までスライドするとき、前記計量棒を前記第２の計量位置に移動させ、前記基準位置の側から前記第３操作位置までスライドするとき、前記計量棒を前記第３の計量位置に移動させる構成にしても
よい。このようにすると、１つの操作部材の位置を調節するという単純な構造で、正確な量の粉末を簡単に計量することができる。
【００１８】
この場合に、前記操作機構は、前記計量棒を前記閉位置に戻る方向に付勢する付勢部材を備えることが望ましい。このようにすると、操作部材から手を放したときに、自動的に計量棒が閉位置に戻る。従って、操作部材を閉位置に戻す操作を行う必要がなく、より操作が簡単である。
【００１９】
また、本発明の計量容器として、前記容器本体は筒状部を備え、当該筒状部の軸線方向の一端に前記取出口が開口し、前記計量部材は、前記筒状部の内部で前記軸線方向に延びる計量棒であり、当該計量棒は、前記取出口に内接する大径部、および前記大径部から前記取出口と逆の側に延びる小径部を備え、前記取出口は、前記筒状部の前記軸線方向の一端においてその軸線回りの螺旋状をなすように３６０度以内の角度範囲で延在する螺旋状端面と、当該螺旋状端面の一端と他端を接続する直線状端面とを備える開口形状であり、前記第１計量部、前記第２計量部、前記第３計量部は、前記大径部の外周面に螺旋状に並ぶ凹部であるものを用いることができる。
【００２０】
このような計量容器は、計量棒を螺旋状に回転させることで、大径部の外周面に形成された第１計量部、第２計量部、第３計量部が順次外部に露出する。従って、簡単な操作で、粉末の量を３段階に計量することができる。また、取出口を下側にして容器を持って計量棒を操作すればよく、容器全体を逆さまにするなどの大きな動作を行う必要がない。従って、簡単な動作で粉末を取り出すことができ、粉末が飛び散るおそれも少ない。
【００２１】
この構成において、前記計量部材を前記閉位置、前記第１の計量位置、前記第２の計量位置、前記第３の計量位置に移動させる操作機構を設ける場合には、例えば、前記操作機構は、前記筒状部における前記取出口と逆の側の端部に装着される円筒状の支持部材と、当該支持部材に外嵌される円筒状の操作部、および、前記支持部材の内部に延びている前記計量棒に対し、前記筒状部の軸線回りに相対回転不能に連結される連結部を備えるキャップ部材と、を有し、前記支持部材の円筒状外周面には螺旋溝が形成され、前記操作部の円筒状内周面には、前記螺旋溝に沿ってスライド可能な突起が形成されている構成にすることができる。このようにすると、キャップ部材を回すという簡単な操作で、正確な量の粉末を計量することができる。
【００２２】
また、この場合に、前記支持部材は、前記螺旋溝内の基準位置、第１の角度位置、第２の角度位置、第３の角度位置のそれぞれの位置で前記突起を位置決めする位置決め部を備え、前記基準位置は、前記閉位置に対応し、前記第１の角度位置は、前記第１の計量位置に対応し、前記第２の角度位置は、前記第２の計量位置に対応し、前記第３の角度位置は、前記第３の計量位置に対応することが望ましい。このようにすると、キャップ部材の回転位置を簡単に、且つ、正確に調節できる。
【００２３】
次に、本発明の計量器具として、前記容器接続部材は円筒状であり、その軸線方向の一端に前記接続口が開口し、他端の周方向の一部の範囲に前記取出口が開口し、前記計量部材は、前記容器接続部材の前記軸線方向の他端に内接する円柱状の内接部と、当該内接部よりも大径の台座部を備え、前記第１計量部、前記第２計量部、前記第３計量部は、前記内接部の外周面に周方向に並んで形成された第１凹部、第２凹部、第３凹部であるものを用いることができる。
【００２４】
このような計量器具は、計量部材を回転させると、内接部の外周面に形成された第１計量部、第２計量部、第３計量部が順次外部に露出する。従って、簡単な操作で、粉末の量を３段階に計量することができる。また、容器接続部材の上端に既存の容器を逆さまにし
て接続し、容器接続部材の下端に計量部材を取り付け、台座部を最も下にした状態で、計量器具を取り付けた粉末容器をテーブルなどに置くことができる。このようにすると、粉末容器内の粉末が自動的に容器接続部材内に落下し、計量部材を閉位置にすると自動的に計量部に粉末が入り込む。従って、粉末を計量する際には、計量器具を取り付けた粉末容器を持ち上げて計量部材を回転させるだけでよい。従って、簡単な動作で粉末を取り出すことができ、粉末が飛び散るおそれも少ない。
【図面の簡単な説明】
【００２５】
【図１】本発明を適用した実施形態１に係る計量容器の斜視図である。
【図２】図１の計量容器の分解斜視図である。
【図３】図１の計量容器における容器本体および計量棒の部分断面図である。
【図４】図１の計量容器における計量棒の計量位置を示す説明図である。
【図５】本発明を適用した実施形態２に係る計量容器の斜視図である。
【図６】図５の計量容器の分解斜視図である。
【図７】図５の計量容器における計量棒の計量位置を示す説明図である。
【図８】本発明を適用した実施形態３に係る計量器具、およびこの計量器具を取り付ける既存容器の例を示す分解斜視図である。
【図９】図８の計量器具の使用状態を示す側面図である。
【発明を実施するための形態】
【００２６】
以下に、図面を参照して、本発明を適用した計量容器および計量器具の実施の形態を説明する。
【００２７】
［実施形態１］
図１は本発明を適用した実施形態１に係る計量容器の斜視図であり、図２は計量容器の分解斜視図である。計量容器１００は、容器本体１１０と、容器本体１１０からその端部が出し入れされる計量棒１２０（計量部材）と、計量棒１２０を容器本体１１０から出し入れする方向に移動させる操作機構１３０を備える。計量棒１２０は全体として直線状に延びている。以下、本明細書において、計量棒１２０の中心軸線を符号Ｌで示し、中心軸線Ｌの一方側の方向を＋Ｌ方向で示し、他方側の方向を−Ｌ方向で示す。
【００２８】
容器本体１１０は、直線状に延びる円筒部１１１（筒状部）と、円筒部１１１の＋Ｌ方向の端部に設けられた粉末取出部１１２を備える。円筒部１１１の中心軸線は計量棒１２０の中心軸線Ｌと一致しており、円筒部１１１と計量棒１２０は同軸に配置されている。粉末取出部１１２は円筒部１１１の端部から＋Ｌ方向に突出し、先端側に向かうに従って外径が小さくなっている。粉末取出部１１２の先端中央には取出口１１３が開口する。取出口１１３は、粉末取出部１１２を中心軸線Ｌの方向に貫通する貫通孔である。粉末取出部１１２は、取出口１１３を除き、円筒部１１１の＋Ｌ方向の端部を塞いでいる。容器本体１１０の内部は粉末収容空間１１４であり、ここに円筒部１１１の−Ｌ方向の端部から粉末が補給される。粉末の補給口となる円筒部１１１の−Ｌ方向の端部は、後述するように、操作機構１３０と一体に形成された蓋部材によって塞がれる。
【００２９】
計量棒１２０は、取出口１１３に内接する大径部１２１と、大径部１２１の＋Ｌ方向の先端に形成された封鎖部１２２と、大径部１２１から−Ｌ方向に延びる小径部１２３を備える。封鎖部１２２は大径部１２１よりも径寸法が大きく、取出口１１３を覆うことが可能である。大径部１２１の外周面には、周方向に延びる環状の凹部である第１計量部１２４、第２計量部１２５、第３計量部１２６が形成されている。第１計量部１２４は、３つの計量部のうちで最も封鎖部１２２に近く、第１計量部１２４、第２計量部１２５、第３計量部１２６の順で−Ｌ方向に並んでいる。大径部１２１の外周面は、封鎖部１２２と第１計量部１２４の間に位置する第１外周面部分１２１ａ、第１計量部１２４と第２計量部
１２５の間に位置する第２外周面部分１２１ｂ、第２計量部１２５と第３計量部１２６の間に位置する第３外周面部分１２１ｃ、第３計量部１２６と小径部１２３の間に位置する第４外周面部分１２１ｄを備える。
【００３０】
図３は、容器本体１１０および計量棒１２０の部分断面図であり、図３（ａ）は３つの計量部が外部に露出していない状態、図３（ｂ）は計量部の１つ（第１計量部１２４）のみが外部に露出している状態を示す。この図に示すように、取出口１１３は、粉末取出部１１２を貫通しており、円筒部１１１の内部に形成された粉末収容空間１１４と連通する。計量棒１２０は、取出口１１３に大径部１２１を通し、封鎖部１２２を取出口１１３の外部に配置し、小径部１２３を粉末収容空間１１４内に延ばすように配置されている。粉末取出部１１２の先端面には、取出口１１３を囲むように環状の凹部１１２ａが形成されている。計量容器１００から粉末を取り出さないときは、封鎖部１２２が凹部１１２ａに当接して取出口１１３を覆った位置に計量棒１２０を位置決めする。これが、計量棒１２０の閉位置１２０Ａである（図１参照）。
【００３１】
計量棒１２０を閉位置１２０Ａに位置決めした状態では、第１計量部１２４、第２計量部１２５、第３計量部１２６は全て粉末収容空間１１４と連通している。従って、閉位置１２０Ａでは、粉末収容空間１１４内の粉末が第１計量部１２４、第２計量部１２５、第３計量部１２６に入り込む。また、閉位置１２０Ａでは、大径部１２１の第１外周面部分１２１ａが取出口１１３に内接して取出口１１３を塞いでいる。従って、第１計量部１２４、第２計量部１２５、第３計量部１２６は計量容器１００の外部と連通していない。
【００３２】
図３（ｂ）に示すように、第１計量部１２４が取出口１１３から外部に出るまで計量棒１２０を＋Ｌ方向にスライドさせると、第１計量部１２４内に入り込んでいた粉末が外部に取り出される。これが、計量容器１００の計量動作である。このとき、外部に取り出される粉末の量は、第１計量部１２４の容積に応じた量である。従って、この計量動作によって、第１計量部１２４の容積分の粉末が取り出される。
【００３３】
図４は、計量棒１２０の計量位置を示す説明図であり、図４（ａ）は第１計量位置、図４（ｂ）は第２計量位置、図４（ｃ）は第３計量位置を示す。計量棒１２０は、第１計量部１２４が取出口１１３から外部に出ている第１計量位置１２０Ｂと、第１計量部１２４および第２計量部１２５が取出口１１３から外部に出ている第２計量位置１２０Ｃと、第１計量部１２４、第２計量部１２５、第３計量部１２６が取出口１１３から外部に出ている第３計量位置１２０Ｄに移動可能である。第１計量位置１２０Ｂでは、上述したように、第１計量部１２４の容積分の粉末が計量される。また、第２計量位置１２０Ｃでは、第１計量部１２４と第２計量部１２５の合計容積分の粉末が計量される。そして、第３計量位置１２０Ｄでは、第１計量部１２４、第２計量部１２５、第３計量部１２６の合計容積分の粉末が計量される。
【００３４】
第１計量位置１２０Ｂでは、図３（ｂ）に示すように、大径部１２１の第２外周面部分１２１ｂと第３外周面部分１２１ｃが取出口１１３に内接して取出口１１３を塞いでおり、第１計量部１２４は粉末収容空間１１４と連通していない。同様に、第２計量位置１２０Ｃでは、大径部１２１の第３外周面部分１２１ｃと第４外周面部分１２１ｄが取出口１１３に内接して取出口１１３を塞いでおり、第１計量部１２４と第２計量部１２５は粉末収容空間１１４と連通していない。また、第３計量位置１２０Ｄでは、大径部１２１の第４外周面部分１２１ｄが取出口１１３に内接して取出口１１３を塞いでおり、第１計量部１２４、第２計量部１２５、第３計量部１２６は粉末収容空間１１４と連通していない。このように、大径部１２１は、各計量位置で取出口１１３を塞ぐため、外部に露出する計量部の容積分以外の粉末が外部に取り出されることはない。
【００３５】
図３（ａ）（ｂ）に示すように、第１計量部１２４、第２計量部１２５、第３計量部１２６はいずれも周方向に延びる溝状の凹部であり、それぞれ、＋Ｌ方向側の溝側面１２７と、−Ｌ方向側の溝側面１２８と、溝底面１２９を備える。溝側面１２７は、外周側に向かうに従って＋Ｌ方向に傾く傾斜面であり、もう一方の溝側面１２８は、中心軸線Ｌに対して垂直な面である。このように、計量棒１２０の先端側に位置する溝側面１２７を傾斜面にしていると、図３（ｂ）に示すように粉末がスムーズに排出される。従って、計量部内に粉末が残留しにくく、精度良く計量を行うことができる。
【００３６】
溝側面１２７、１２８は３つの計量部において同一形状であるが、溝底面１２９の幅は３つの計量部でそれぞれ異なる。すなわち、第２計量部１２５の溝底面１２９が最も狭く、第１計量部１２４の溝底面が２番目に狭く、第３計量部１２６溝底面が最も広い。このため、３つの計量部はその容積が異なり、第２計量部１２５、第１計量部１２４、第３計量部１２６の順で容積が大きくなる。粉末が食塩である場合、第２計量部１２５には０．２ｇの食塩が収容され、第１計量部１２４には０．３ｇの食塩が収容され、第３計量部１２６には０．５ｇの食塩が収容される。従って、計量棒１２０を閉位置１２０Ａから第１計量位置１２０Ｂまで押し出すと、０．３ｇの食塩が計量されて取り出される。また、計量棒１２０を閉位置１２０Ａから第２計量位置１２０Ｃまで押し出すと、０．５ｇ（０．３ｇ＋０．２ｇ）の食塩が計量されて取り出される。そして、計量棒１２０を閉位置１２０Ａから第３計量位置１２０Ｄまで押し出すと、１．０ｇ（０．３ｇ＋０．２ｇ＋０．５ｇ）の食塩が計量されて取り出される。なお、計量部の容積はこのような容積に限定されるものではなく、用途に応じて様々な容積にすることができる。
【００３７】
操作機構１３０は、円筒部１１１の−Ｌ方向側の端部に着脱可能に装着される支持部材１４０と、支持部材１４０にスライド可能に係合された３つの操作部材（第１操作部材１５０、第２操作部材１６０、第３操作部材１７０）と、これら第１操作部材１５０、第２操作部材１６０、第３操作部材１７０と計量棒１２０との間に介在する中間部材１８０と、支持部材１４０の−Ｌ方向の端部に装着されるキャップ１９０を備える。
【００３８】
図２に示すように、支持部材１４０は、円筒部１４１と、円筒部１４１から更に−Ｌ方向に延びる略三角形の断面形状をした筒状部１４２を備える。容器本体１１０の−Ｌ方向側の開口縁は薄肉状であり、この薄肉部を円筒部１４１の＋Ｌ方向の端部に挿入して、支持部材１４０を容器本体１１０に装着する。円筒部１４１の内部空間は、中心軸線Ｌに対して垂直な仕切り板１４３によって仕切られている。すなわち、支持部材１４０の円筒部１４１および仕切り板１４３は、容器本体１１０の上端開口を塞ぐ蓋部材として機能する。上述したように、計量容器１００の粉末収容空間１１４に粉末を補給するときには、容器本体１１０から支持部材１４０を取り外して行う。
【００３９】
仕切り板１４３の中央には貫通穴１４３ａが開口し、貫通穴１４３ａには計量棒１２０の小径部１２３が挿通される。計量棒１２０は、貫通穴１４３ａに内接しており、計量動作が行われるときは、小径部１２３が貫通穴１４３ａの内周面に沿ってスライドする。小径部１２３の先端は、貫通穴１４３ａを通って筒状部１４２の内部空間へ延びている。
【００４０】
筒状部１４２は、略正三角形の断面形状の３辺を構成する第１側面１４４、第２側面１４５、第３側面１４６を備える。隣り合う側面が接続される角部には、それぞれ、湾曲状の面をなす面取り部１４７が形成されている。第１側面１４４には、中心軸線Ｌと平行に延びる第１スリット１４４ａが形成されている。同様に、第２側面１４５には、中心軸線Ｌと平行に延びる第２スリット１４５ａが形成され、第３側面１４６には、中心軸線Ｌと平行に延びる第３スリット１４６ａが形成されている。これら３本のスリットの−Ｌ方向の端部は、筒状部１４２の−Ｌ方向の端面まで延びている。一方、３本のスリットの＋Ｌ方向の端部の位置はそれぞれ異なる。第１スリット１４４ａは、３本のスリットの中で最
も短く、その＋Ｌ方向の端部は、３本の中で最も−Ｌ方向側に位置する。また、第２スリット１４５ａは２番目に短く、その＋Ｌ方向の端部は２番目に−Ｌ方向側に位置する。そして、第３スリット１４６ａは、３本のスリットの中で最も長く、その＋Ｌ方向の端部は最も＋Ｌ方向側に位置する。
【００４１】
第１スリット１４４ａ、第２スリット１４５ａ、第３スリット１４６ａには、それぞれ、第１操作部材１５０、第２操作部材１６０、第３操作部材１７０がスライド可能に係合されている。第１操作部材１５０は、第１側面１４４の外側に配置される第１指掛け部１５１と、第１側面１４４の内側に配置されるスライダ部１５２と、第１スリット１４４ａに通されて第１指掛け部１５１とスライダ部１５２を繋いでいる係合部１５３を備える。スライダ部１５２は、第１側面１４４と平行な縦板部１５２ａと、縦板部１５２ａから径方向内側に突出する腕部１５２ｂを備える。第１スリット１４４ａの−Ｌ方向の端部は、筒状部１４２の端部に装着されたキャップ１９０によって塞がれている。従って、キャップ１９０を装着した状態では第１操作部材１５０が第１スリット１４４ａから脱落することはない。
【００４２】
第２操作部材１６０と第３操作部材１７０は、第１操作部材１５０と同様の形状をしている。すなわち、第２操作部材１６０は、第２指掛け部１６１と、スライダ部１６２と、係合部１６３を備え、スライダ部１６２は、縦板部１６２ａおよび腕部１６２ｂを備える。また、第３操作部材１７０は、第２指掛け部１７１と、スライダ部１７２と、係合部１７３を備え、スライダ部１７２は、縦板部１７２ａおよび腕部１７２ｂを備える。これら３つの操作部材は、腕部１５２ｂ、腕部１６２ｂ、腕部１７２ｂの位置が異なることを除き、同一形状である。すなわち、中心軸線Ｌ上に延びるこれら３つの腕部は、３つの操作部材の指掛け部（第１指掛け部１５１、第２指掛け部１６１、第３指掛け部１７１）を中心軸線Ｌに沿った方向で同一位置に配置したとき、腕部１５２ｂ、腕部１６２ｂ、腕部１７２ｂの順で−Ｌ方向に向けて積み重ねた状態になっている。
【００４３】
計量棒１２０の−Ｌ方向の端部には、中間部材１８０が取り付けられている。中間部材１８０は、筒状部１４２に内接する略正三角形のプレート１８１と、プレート１８１の＋Ｌ方向の面の中央に形成された嵌合部（図示省略）を備える。この嵌合部には、計量棒１２０の小径部１２３の先端が嵌合される。一方、プレート１８１の−Ｌ方向の面には、腕部１７２ｂ、腕部１６２ｂ、腕部１５２ｂがこの順で重なって載っている。また、プレート１８１とその＋Ｌ方向側に位置する仕切り板１４３との間には、図示しないコイルバネ（付勢部材）が圧縮状態で配置されている。計量棒１２０の小径部１２３は、コイルバネの中心を通るように配置されている。このコイルバネによって、プレート１８１が−Ｌ方向側に付勢されている。
【００４４】
第１操作部材１５０の第１指掛け部１５１に指を掛けて＋Ｌ方向側に押すと、第１操作部材１５０が第１スリット１４４ａに案内されて＋Ｌ方向側に移動し、このとき、腕部１５２ｂを介して中間部材１８０が＋Ｌ方向側に押されて移動する。この結果、中間部材１８０を介して、計量棒１２０が＋Ｌ方向側に移動する。第１操作部材１５０は、第１スリット１４４ａの＋Ｌ方向側の端部まで移動したところで止まるが、このとき、計量棒１２０は、第１計量位置１２０Ｂまで移動している。つまり、第１操作部材１５０を操作することで、計量棒１２０を第１計量位置１２０Ｂに移動させることができる。操作後、第１指掛け部１５１から手を放すと、上述したコイルバネによって中間部材１８０が−Ｌ方向に押され、中間部材１８０を介して第１操作部材１５０が第１スリット１４４ａの−Ｌ方向側の端部まで戻る。これにより、計量棒１２０は閉位置１２０Ａに戻る。
【００４５】
同様に、第２操作部材１６０の第２指掛け部１６１に指を掛けて＋Ｌ方向側に押した場合は、腕部１６２ｂおよび中間部材１８０を介して、計量棒１２０が＋Ｌ方向側に移動す
る。第２操作部材１６０が第２スリット１４５ａの＋Ｌ方向側の端部で止まったとき、計量棒１２０は、第２計量位置１２０Ｃまで移動している。また、第３操作部材１７０の第３指掛け部１７１に指を掛けて＋Ｌ方向側に押した場合は、腕部１７２ｂおよび中間部材１８０を介して、計量棒１２０が＋Ｌ方向側に移動する。第３操作部材１７０が第３スリット１４６ａの＋Ｌ方向側の端部で止まったとき、計量棒１２０は、第３計量位置１２０Ｄまで移動している。操作後、第２指掛け部１６１あるいは第３指掛け部１７１から手を放すと、同様に、計量棒１２０は閉位置１２０Ａに戻る。
【００４６】
以上のように、実施形態１の計量容器１００は、第１計量部１２４、第２計量部１２５、第３計量部１２６を備える計量棒１２０を有し、計量棒１２０は、取出口１１３を塞ぐ閉位置１２０Ａ、第１計量位置１２０Ｂ、第２計量位置１２０Ｃ、第３計量位置１２０Ｄに出し入れ可能である。このように、計量棒１２０に複数の計量部を設けたことにより、簡単な操作によって、計量部の容積や数に応じた量の粉末を精度良く計量して取り出すことができる。また、計量部の容積を小さくすることで、少量の粉末でも精度良く取り出すことができる。更に、計量棒１２０を出し入れする寸法を調節するという簡単な操作で、取り出す粉末の量を多段階に調節して取り出すことが可能である。従って、少量でも簡単に正確な量の粉末を計量して取り出すことができる。
【００４７】
また、実施形態１では、計量棒１２０を操作する操作機構１３０は、計量すべき量に対応する操作部材を選んで、スリットの端部まで一気にスライドさせるだけでよいので、極めて操作が簡単である。更に、取出口１１３を下側にして容器本体１１０を持って操作機構１３０を操作すればよく、容器全体を逆さまにするなどの大きな動作を行う必要がない。従って、簡単な動作で粉末を取り出すことができ、粉末が飛び散るおそれも少ない。
【００４８】
（実施形態１の変形例）
実施形態１の操作機構１３０は、長さの異なる３本のスリットに操作部材をそれぞれ係合させて、操作部材を選択して操作することにより粉末の取り出し量を調節するものであったが、他の構成の操作機構を用いても良い。例えば、スリットと操作部材を１つのみとし、スリットに沿って移動する操作部材を複数の位置に位置決めするように複数の位置決め部を設けた構造にしてもよい。位置決め部の位置を計量棒１２０の計量位置および閉位置と対応させることにより、粉末の取り出し量を簡単に、且つ多段階に調節できる。
【００４９】
［実施形態２］
図５は本発明を適用した実施形態２に係る計量容器の斜視図であり、図６は計量容器の分解斜視図である。実施形態２の計量容器２００は、容器本体２１０と、容器本体２１０からその端部が出し入れされる計量棒２２０（計量部材）と、計量棒２２０を容器本体２１０から出し入れする方向に移動させる操作機構２３０を備える。計量棒２２０は全体として直線状に延びている。以下、本明細書において、計量棒２２０の中心軸線を符号Ｌ１で示し、中心軸線Ｌ１の一方側の方向を＋Ｌ１方向で示し、他方側の方向を−Ｌ１方向で示す。
【００５０】
容器本体２１０は、中心軸線Ｌ１に沿って直線状に延びる円筒部２１１（筒状部）を備える。円筒部２１１の内部は粉末収容空間２１４であり、ここに粉末が収容される。円筒部２１１の中心軸線は計量棒２２０の中心軸線Ｌ１と一致しており、円筒部２１１と計量棒１２０は同軸に配置されている。円筒部２１１の＋Ｌ１方向の端部は取出口２１３となっている。円筒部２１１は、取出口２１３の側の端部形状が中心軸線Ｌ１周りの螺旋状である。すなわち、取出口２１３の開口縁は、中心軸線Ｌ１周りの螺旋状に延びる第１螺旋状端面２１３ａと、第１螺旋状端面２１３ａの一端と他端を接続する第１直線状端面２１３ｂを備える。第１螺旋状端面２１３ａは、円筒部２１１を１周する３６０度の角度範囲で延在しており、第１直線状端面２１３ｂは、中心軸線Ｌ１と平行な方向に延在する。な
お、第１螺旋状端面２１３ａは、３６０度と異なる角度範囲で延在していてもよい。
【００５１】
計量棒２２０は、取出口２１３に内接する大径部２２１と、大径部２２１の＋Ｌ方向側において大径部２２１よりも更に大径に形成された封鎖部２２２と、大径部２２１の径方向の中央から−Ｌ方向に延びる小径部２２３を備える。封鎖部２２２は、円筒部２１１と略同一の外径である。
【００５２】
封鎖部２２２は、中心軸線Ｌ１に対して垂直な底面から、大径部２２１の外周側で中心軸線Ｌ１周りに螺旋状に隆起する形状をしている。封鎖部２２２は、大径部２２１の外周側で中心軸線Ｌ１周りの螺旋状に延びる第２螺旋状端面２２２ａと、第２螺旋状端面２２２ａの一端と他端を接続する第２直線状端面２２２ｂを備える。第２螺旋状端面２２２ａは、大径部２２１の外側を１周する３６０度の角度範囲で延在しており、第２直線状端面２２２ｂは、中心軸線Ｌ１と平行な方向に延在する。なお、第２螺旋状端面２２２ａは、第１螺旋状端面２１３ａと一致する角度範囲で形成されていればよい。第２螺旋状端面２２２ａは、取出口２１３を囲む第１螺旋状端面２１３ａと同じ傾斜角度で延びており、これら２つの螺旋状端面は、中心軸線Ｌ１に沿った方向で対向する。図５に示す閉位置２２０Ａに計量棒２２０が位置決めされたとき、第２螺旋状端面２２２ａと第２直線状端面２２２ｂは、それぞれ、第１螺旋状端面２１３ａと第１直線状端面２１３ｂに当接する（図５参照）。
【００５３】
大径部２２１は、封鎖部２２２の内周側において−Ｌ方向に突出している。大径部２２１の外周面には、第１計量部２２４、第２計量部２２５、第３計量部２２６の３つの凹部が周方向に螺旋状に並んで開口している。第１計量部２２４、第２計量部２２５は、それぞれ、略９０度の角度範囲に拡がっており、第３計量部２２６は、略１８０度の角度範囲に拡がっている。第１計量部２２４は最も−Ｌ方向側に位置し、第１計量部２２４、第２計量部２２５、第３計量部２２６の順で封鎖部２２２の側から小径部２２３の側に向けて螺旋状に並んでいる。なお、各計量部の角度範囲は、上記と異なる角度範囲としてもよい。
【００５４】
図７は計量棒２２０の計量位置を示す説明図であり、図７（ａ）は第１計量位置、図７（ｂ）は第２計量位置、図７（ｃ）は第３計量位置を示す。計量棒２２０は、図５に示す閉位置２２０Ａでは、３つの計量部が全て取出口２１３から円筒部２１１内に引き込まれ、封鎖部２２２によって取出口２１３が覆われている。このとき、第１計量部２２４、第２計量部２２５、第３計量部２２６は、その外周側の空間を経由して粉末収容空間２１４と連通している。
【００５５】
閉位置２２０Ａに位置する計量棒２２０を中心軸線Ｌ１周りに回転させながら＋Ｌ方向に押し出すと、まず、図７（ａ）に示すように、第１計量部２２４のみが取出口２１３から出て外部に露出する。これが、計量棒２２０の第１計量位置２２０Ｂである。第１計量位置２２０Ｂでは、第１計量部２２４内に入り込んでいた粉末が外部に取り出される。これにより、第１計量部２２４の容積分の粉末が計量される。第１計量部２２４の容積は、実施形態１と同様に、例えば、０．３ｇの食塩が収容される容積である。
【００５６】
続いて、さらに計量棒２２０を中心軸線Ｌ１周りに回転させながら＋Ｌ方向に押し出すと、図７（ｂ）に示すように、第１計量部２２４と第２計量部２２５の２つの計量部が取出口２１３から出て外部に露出する。これが、計量棒２２０の第２計量位置２２０Ｃである。そして、さらに計量棒２２０を中心軸線Ｌ１周りに回転させながら＋Ｌ方向に押し出すと、図７（ｃ）に示すように、第１計量部２２４、第２計量部２２５、第３計量部２２６の３つの計量部が取出口２１３から出て外部に露出する。これが、計量棒２２０の第３計量位置２２０Ｄである。
【００５７】
第２計量位置２２０Ｃでは、第１計量部２２４と第２計量部２２５の合計容積分の粉末が計量される。第２計量部２２５の容積が、実施形態１と同様に、０．２ｇの食塩が収容される容積であるとき、第２計量位置２２０Ｃでは、０．５ｇ（０．３ｇ＋０．２ｇ）の食塩が計量される。また、第３計量位置２２０Ｄでは、第１計量部２２４、第２計量部２２５、第３計量部２２６の合計容積分の粉末が計量される。第３計量部２２６の容積が、実施形態１と同様に、０．５ｇの食塩が収容される容積であるとき、第３計量位置２２０Ｄでは、１．０ｇ（０．３ｇ＋０．２ｇ＋０．５ｇ）の食塩が計量される。
【００５８】
操作機構２３０は、円筒部２１１の−Ｌ１方向側の端部（上端）に装着される支持部材２４０と、支持部材２４０の−Ｌ１方向側の端部（上端）に装着されるキャップ２５０を備える。支持部材２４０は、円筒部２１１と略同一径の第１円筒部２４１と、第１円筒部２４１より一回り小径の第２円筒部２４２を備える。支持部材２４０の内部空間には、計量棒２２０の小径部２２３を中心軸線Ｌ方向にスライド可能に、且つ、中心軸線Ｌ１周りに回転可能に支持する図示しない支持構造が設けられている。また、支持部材２４０の内部空間は、円筒部２１１内の粉末収容空間２１４と連通している。従って、支持部材２４０を円筒部２１１に装着した状態で、キャップ２５０を取り外し、第２円筒部２４２の上端開口から粉末収容空間２１４に粉末を補給することができる。
【００５９】
キャップ２５０は、支持部材２４０の第２円筒部２４２に外嵌される円筒部２５１を備える。円筒部２５１の＋Ｌ方向の縁には、中心軸線Ｌ１と平行に延びる２本のスリットが形成され、このスリットに挟まれた切り欠き部２５２の内側面に突起２５３が形成されている。突起２５３は、切り欠き部２５２の弾性変形によって、径方向に移動可能である。また、キャップ２５０は、円筒部２５１の−Ｌ１方向の端部を塞ぐ封鎖部２５４を備えており、封鎖部２５４の裏面（＋Ｌ１方向を向く面）には、計量棒２２０の小径部２２３の先端が中心軸線Ｌ１周りに相対回転不能に連結される連結部（図示省略）が設けられる。
【００６０】
第２円筒部２４２の外周面には、螺旋溝２４３が形成されている。螺旋溝２４３が形成されている角度範囲は、計量棒２２０が閉位置２２０Ａから第３計量位置まで移動するときの回転量に対応している。螺旋溝２４３の底面には、４箇所に位置決め凹部２４４が形成されている。位置決め凹部２４４のうちの１つは、螺旋溝２４３の−Ｌ１方向の端部に位置する。２つ目の位置決め凹部２４４は、１つ目の位置決め凹部２４４から所定角度（例えば、封鎖部２２２の第２直線状端面２２２ｂから第１計量部２２４までの角度に９０度加算した角度）だけ回転した回転位置に位置する。２つ目と３つ目の位置決め凹部２４４の間の回転角度は９０度である。そして、３つ目と４つ目の位置決め凹部２４４の間の回転角度は１８０度である。
【００６１】
キャップ２５０が第２円筒部２４２に外嵌されると、キャップ２５０の内側面に形成された突起２５３が螺旋溝２４３に配置される。この状態で、キャップ２５０を第２円筒部２４２に対して回すと、突起２５３が螺旋溝２４３に沿って案内されて、キャップ２５０が螺旋状に移動する。このとき、キャップ２５０に回転不能に連結された計量棒２２０がキャップ２５０と一体になって螺旋状に回転する。従って、キャップ２５０を回す操作に基づき、上述した閉位置２２０Ａ、第１計量位置２２０Ｂ、第２計量位置２２０Ｃ、第３計量位置２２０Ｄに計量棒２２０を移動させることができる。
【００６２】
螺旋溝２４３内の位置決め凹部２４３は、これらの閉位置および複数の計量位置に対応している。すなわち、螺旋溝２４３の−Ｌ１方向の端部に位置する１つ目の位置決め凹部２４３に突起２５３が嵌まると、計量棒２２０が閉位置２２０Ａに位置決めされる。２つ目の位置決め凹部２４３に突起２５３が嵌まると第１計量位置２２０Ｂに計量棒２２０が位置決めされ、３つ目の位置決め凹部２４３に突起２５３が嵌まると第２計量位置２２０
Ｃに計量棒２２０が位置決めされ、４つ目の位置決め凹部２４３に突起２５３が嵌まると第３計量位置２２０Ｄに計量棒２２０が位置決めされる。
【００６３】
以上のように、実施形態２の計量容器２００は、実施形態１と同様の作用効果を備える。すなわち、計量容器２００は、第１計量部２２４、第２計量部２２５、第３計量部２２６を備える計量棒２２０を有し、計量棒２２０は、取出口２１３を塞ぐ閉位置２２０Ａ、第１計量位置２２０Ｂ、第２計量位置２２０Ｃ、第３計量位置２２０Ｄに出し入れ可能である。このように、計量棒２２０に複数の計量部を設けたことにより、簡単な操作によって、計量部の容積や数に応じた量の粉末を精度良く計量して取り出すことができる。また、計量部の容積を小さくすることで、少量の粉末でも精度良く取り出すことができる。更に、計量棒２２０を出し入れする寸法を調節するという簡単な操作を行えば良く、一回の操作で、取り出す粉末の量を複数段階の中から選択して取り出すことが可能である。従って、少量でも簡単に正確な量の粉末を計量して取り出すことができる。
【００６４】
また、実施形態２では、計量棒２２０を操作する操作機構２３０は、キャップ２５０を回転させるだけでよいので、操作が簡単である。また、突起２５３と位置決め凹部２４３による位置決め機構を備えているため、複数の計量位置への位置決めが容易である。更に、この計量容器２００は、取出口２１３を下側にしてテーブル等に置くことができ、粉末を計量するときは、そのままの姿勢で持ち上げてキャップ２５０を回せばよく、容器全体を逆さまにするなどの大きな動作を行う必要がない。従って、簡単な動作で粉末を取り出すことができ、粉末が飛び散るおそれも少ない。
【００６５】
［実施形態３］
図８は本発明を適用した実施形態３に係る計量器具、およびこの計量器具を取り付ける既存容器の例を示す分解斜視図である。また、図９は計量器具の使用状態を示す側面図であり、図９（ａ）は計量部材が閉位置にある状態、図９（ｂ）〜図９（ｄ）はそれぞれ、計量部材が第１計量位置にある状態、第２計量位置にある状態、第３計量位置にある状態を示す。実施形態３の計量器具３００は、筒状の容器接続部材３１０と、容器接続部材３１０の一端を塞ぐ計量部材３２０を備える。図８、図９では、計量器具３００が装着される既存容器４００として、食卓塩などの容器と同様の形状をしたものを示しているが、計量器具３００が装着される既存容器４００は、このような形状に限定されるものではない。以下、本明細書において、容器接続部材３１０の中心線を符号Ｌ２で示し、中心軸線Ｌ２の一方側の方向を＋Ｌ２方向で示し、他方側の方向を−Ｌ２方向で示す。
【００６６】
容器接続部材３１０の−Ｌ２方向の端部は、その内周面に螺旋溝３１１が形成された接続口となっている。既存容器４００は、図示しないキャップが着脱される筒状部４０１を備える。筒状部４０１の外周面に螺旋状突起４０２が形成され、筒状部４０１の先端には開口４０３が形成されている。容器接続部材３１０の螺旋溝３１１は、既存容器４００側の螺旋状突起４０２に対応する形状である。容器接続部材３１０は、螺旋溝３１１を螺旋状突起４０２に噛み合わせるように螺旋状に回転させることにより、既存容器４００の筒状部４０１に着脱可能に装着することができる。
【００６７】
容器接続部材３１０の＋Ｌ２方向の端部には、径方向外側に突出する環状のフランジ部３１２が形成されている。容器接続部材３１０の外周面には、フランジ部３１２に沿って周方向に延在する取出口３１３が形成されている。取出口３１３は、周方向の一部の角度範囲に形成され、中心軸線Ｌ２に沿った方向の開口高さは一定である。
【００６８】
計量部材３２０は、容器接続部材３１０の＋Ｌ２方向の端部に内接する円柱状の内接部３２１と、内接部３２１の＋Ｌ２方向側に形成された略円板状の台座部３２２を備える。台座部３２２は内接部３２１よりも径寸法が大きく、内接部３２１と同軸に形成されてい
る。台座部３２２の−Ｌ２方向の面（上面）には、複数の係合爪３２３が形成されている。図９（ａ）に示すように、容器接続部材３１０の端部に内接部３２１を挿入し、フランジ部３１２を台座部３２２に当接させると、係合爪３２３がフランジ部３１２に係合する。これにより、計量部材３２０は、容器接続部材３１０に対して周方向に回転可能な状態で係合される。
【００６９】
内接部３２１の外周面には、第１計量部３２４、第２計量部３２５、第３計量部３２６が形成されている。これら３つの計量部は、径方向内側に凹んだ凹部であり、周方向に並んでいる。３つの計量部は、中心軸線Ｌ２に沿った方向の開口幅は同一であり、周方向の開口幅がそれぞれ異なっている。周方向の開口幅は、第２計量部３２５が最も小さく、第１計量部３２４が２番目に小さく、第３計量部３２６が最も大きい。また、内接部３２１の上端面３２１ａ（−Ｌ２方向側の面）には、第１計量部３２４に連通する第１連通口３２４ａ、第２計量部３２５に連通する第２連通口３２５ａ、第３計量部３２６に連通する第３連通口３２６ａが開口している。
【００７０】
容器接続部材３１０の内部空間には、中心軸線Ｌ２に対して垂直な仕切り板３１４が設けられている。仕切り板３１４は、容器接続部材３１０のフランジ部３１２と計量部材３２０の台座部３２２が当接したとき、内接部３２１の上端面３２１ａに当接する。仕切り板３１４の上側（−Ｌ２方向側）が粉末収容空間３１５であり、ここに既存容器４００内から粉末が落下する。仕切り板３１４には、取出口３１３に対して周方向の反対側に、扇形の開口部３１４ａが形成されている。開口部３１４ａは、第１連通口３２４ａ、第２連通口３２５ａ、第３連通口３２６ａの全てと重なることができる角度範囲に開口している。
【００７１】
上述したように、計量器具３００は、容器接続部材３１０に対して周方向に回転可能な状態で計量部材３２０が係合されている。粉末を取り出す際には、台座部３２２を手で持ち、計量部材３２０を容器接続部材３１０に対して中心軸線Ｌ２回りに回転させる。これにより、計量部材３２０は、図９（ａ）に示す閉位置３２０Ａと、図９（ｂ）に示す第１計量位置３２０Ｂと、図９（ｃ）に示す第２計量位置３２０Ｃと、図９（ｄ）に示す第３計量位置３２０Ｄに移動可能である。
【００７２】
図９（ａ）に示す閉位置３２０Ａは、第１計量部３２４、第２計量部３２５、第３計量部３２６がいずれも取出口３１３に面しておらず、且つ、第１連通口３２４ａ、第２連通口３２５ａ、第３連通口３２６ａの全てが仕切り板３１４の開口部３１４ａと重なる位置である。閉位置３２０Ａでは、第１計量部３２４、第２計量部３２５、第３計量部３２６が第１連通口３２４ａ、第２連通口３２５ａ、第３連通口３２６ａおよび開口部３１４ａを介して粉末収容空間３１５と連通する。従って、第１計量部３２４、第２計量部３２５、第３計量部３２６にそれぞれ、粉末が入り込む。
【００７３】
図９（ｂ）に示す第１計量位置３２０Ｂでは、第１計量部３２４のみが取出口３１３から外部に露出する。従って、第１計量部３２４内に入り込んでいた粉末が外部に取り出される。これにより、第１計量部３２４の容積分の粉末が計量される。第１計量部３２４の容積は、実施形態１、２と同様に、例えば、０．３ｇの食塩が収容される容積である。同様に、図９（ｃ）に示す第２計量位置３２０Ｃでは、第１計量部３２４と第２計量部３２５の２つの計量部が取出口３１３から外部に露出する。従って、第１計量部３２４と第２計量部３２５の合計容積分の粉末が計量される。例えば、実施形態１、２と同様に、０．５ｇ（０．３ｇ＋０．２ｇ）の食塩が計量される。そして、図９（ｄ）に示す第３計量位置３２０Ｄでは、第１計量部２２４、第２計量部２２５、第３計量部２２６の３つの計量部が取出口２１３から外部に露出する。従って、第１計量部２２４、第２計量部２２５、第３計量部２２６の合計容積分の粉末が計量される。例えば、実施形態１、２と同様に、
１．０ｇ（０．３ｇ＋０．２ｇ＋０．５ｇ）の食塩が計量される。
【００７４】
計量器具３００は、計量部材３２０を閉位置３２０Ａ、第１計量位置３２０Ｂ、第２計量位置３２０Ｃ、第３計量位置３２０Ｄに位置決めする位置決め構造を備える。すなわち、計量部材３２０の台座部３２２には、−Ｌ２方向（上方）に突出する突起３２７が１箇所だけ形成されている。突起３２７は、容器接続部材３１０のフランジ部３１２と重なる範囲に形成されている。また、台座部３２２には、突起３２７の周囲にスリットが形成され、突起３２７が形成された部位が中心軸線Ｌ２に沿った方向に弾性変形可能である。一方、フランジ部３１２の＋Ｌ方向の面である環状面には、周方向の４箇所に位置決め凹部（図示省略）が形成されている。これら４つの位置決め凹部は、計量部材３２０が閉位置３２０Ａ、第１計量位置３２０Ｂ、第２計量位置３２０Ｃ、第３計量位置３２０Ｄのそれぞれの位置にあるとき、突起３２７が嵌まるように配置されている。
【００７５】
以上のように、実施形態３の計量器具３００は、実施形態１、２と同様の作用効果を備える。すなわち、計量器具３００は、第１計量部３２４、第２計量部３２５、第３計量部３２６を備える計量部材３２０を有し、計量部材３２０は、取出口３１３を塞ぐ閉位置３２０Ａ、第１計量位置３２０Ｂ、第２計量位置３２０Ｃ、第３計量位置３２０Ｄに移動可能である。このように、計量部材３２０に複数の計量部を設けたことにより、簡単な操作によって、計量部の容積や数に応じた量の粉末を精度良く計量して取り出すことができる。また、計量部の容積を小さくすることで、少量の粉末でも精度良く取り出すことができる。更に、計量部材３２０の回転量を調節するという簡単な操作を行えば良く、一回の操作で、取り出す粉末の量を多段階に調節することが可能である。従って、少量でも簡単に正確な量の粉末を計量して取り出すことができる。
【００７６】
また、この計量器具３００は、粉末を入れる既存容器４００（例えば、食卓塩の容器）のキャップを取り外して簡単に取り付けることができる。従って、既存容器４００から粉末を移し変えることなく、既存容器４００をそのまま利用して計量容器にとして用いることができる。従って、極めて便利である。また、この場合、台座部３２２を下側にしてテーブル等に置くことができ、粉末を計量するときは、そのままの姿勢で持ち上げて計量部材３２０を回せばよく、容器全体を逆さまにするなどの大きな動作を行う必要がない。簡単な動作で粉末を取り出すことができ、粉末が飛び散るおそれも少ない。
【００７７】
（実施形態１、２、３の変形例）
上記各形態では、計量部材（計量棒）が３つの計量部を備え、粉末を３段階に計量できるものであったが、計量部の数は２あるいは４以上であってもよく、２段階あるいは４段階以上に粉末を計量するように構成することもできる。また、上記各形態では、計量部材は、複数の計量位置に移動可能であり、１つ目の計量位置では複数の計量部のうちの１つが外部に露出し、２つ目の計量位置では２つの計量部が外部に露出し、３つ目の計量位置では３つの計量部が全て外部に露出する構造であったが、２つ目の計量位置では１つ目のときと異なる計量部のみが外部に露出するように構成してもよい。
【符号の説明】
【００７８】
（実施形態１の符号）
１００…計量容器、１１０…容器本体、１１１…円筒部（筒状部）、１１２…粉末取出部、１１２ａ…凹部、１１３…取出口、１１４…粉末収容空間、１２０…計量棒（計量部材）、１２０Ａ…閉位置、１２０Ｂ…第１計量位置、１２０Ｃ…第２計量位置、１２０Ｄ…第３計量位置、１２１ａ…第１外周面部分、１２１ｂ…第２外周面部分、１２１ｃ…第３外周面部分、１２１ｄ…第４外周面部分、１２１…大径部、１２２…封鎖部、１２３…小径部、１２４…第１計量部、１２５…第２計量部、１２６…第３計量部、１２７、１２８…溝側面、１２９…溝底面、１３０…操作機構、１４０…支持部材、１４１…円筒部、
１４２…筒状部、１４３…仕切り板、１４３ａ…貫通穴、１４４…第１側面、１４４ａ…第１スリット、１４５…第２側面、１４５ａ…第２スリット、１４６…第３側面、１４６ａ…第３スリット、１４７…面取り部、１５０…第１操作部材、１５１…第１指掛け部、１５２…スライダ部、１５２ａ…縦板部、１５２ｂ…腕部、１５３…係合部、１６０…第２操作部材、１６１…第２指掛け部、１６２…スライダ部、１６２ａ…縦板部、１６２ｂ…腕部、１６３…係合部、１７０…第３操作部材、１７１…第３指掛け部、１７２…スライダ部、１７２ａ…縦板部、１７２ｂ…腕部、１７３…係合部、１８０…中間部材、１８１…プレート、１９０…キャップ、Ｌ…中心軸線
（実施形態２の符号）
２００…計量容器、２１０…容器本体、２１１…円筒部、２１３…取出口、２１３ａ…第１螺旋状端面、２１３ｂ…第１直線状端面、２１４…粉末収容空間、２２０…計量棒（計量部材）、２２０Ａ…閉位置、２２０Ｂ…第１計量位置、２２０Ｃ…第２計量位置、２２０Ｄ…第３計量位置、２２１…大径部、２２２…封鎖部、２２２ａ…第２螺旋状端面、２２２ｂ…第２直線状端面、２２３…小径部、２２４…第１計量部、２２５…第２計量部、２２６…第３計量部、２３０…操作機構、２４０…支持部材、２４１…第１円筒部、２４２…第２円筒部、２４３…螺旋溝、２４４…位置決め凹部、２５０…キャップ、２５１…円筒部、２５２…切り欠き部、２５３…突起、２５４…封鎖部、Ｌ１…中心軸線
（実施形態３の符号）
３００…計量器具、３１０…容器接続部材、３１１…螺旋溝、３１２…フランジ部、３１３…取出口、３１４…仕切り板、３１４ａ…開口部、３１５…粉末収容空間、３２０…計量部材、３２０Ａ…閉位置、３２０Ｂ…第１計量位置、３２０Ｃ…第２計量位置、３２０Ｄ…第３計量位置、３２１…内接部、３２１ａ…上端面、３２２…台座部、３２３…係合爪、３２４…第１計量部、３２４ａ…第１連通口、３２５…第２計量部、３２５ａ…第２連通口、３２６…第３計量部、３２６ａ…第３連通口、３２７…突起、４００…既存容器、４０１…筒状部、４０２…螺旋状突起、４０３…開口、Ｌ２…中心軸線
【図１】
2016074436.tif 000003
【図２】
2016074436.tif 000004
【図３】
2016074436.tif 000005
【図４】
2016074436.tif 000006
【図５】
2016074436.tif 000007
【図６】
2016074436.tif 000008
【図７】
2016074436.tif 000009
【図８】
2016074436.tif 000010
【図９】
2016074436.tif 000011